(57)【要約】      （修正有）【課題】分岐した形状を有する送り経路において、被記録媒体の誤進入や衝突を考慮した記録装置を提供する。【解決手段】記録装置は、被記録媒体Ｐ１が送られる共通経路Ｋと、送りローラー対３６と、前記共通経路Ｋの接続部１１において接続された第１経路Ｋ１および第２経路Ｋ２と、を備え、第１モードのとき、被記録媒体は、前記第１経路Ｋ１から前記共通経路Ｋに送られ、第２モードのとき、被記録媒体は、前記送りローラー対３６によってニップされた状態で、一度前記共通経路Ｋから前記第２経路Ｋ２に送られた後に、前記第２経路Ｋ２から前記共通経路Ｋに送られる構成であり、前記接続部１１に設けられ、前記第２モードにおいて、前記共通経路Ｋから前記接続部１１へ送られる被記録媒体Ｐ１を前記第２経路Ｋ２へ案内する案内手段１４を備えている。【選択図】図５
2012091393.tif 000002
【特許請求の範囲】
【請求項１】
被記録媒体が送られる共通経路と、
前記共通経路上に設けられ、駆動ローラーと従動ローラーとを有する送りローラー対と
、
前記共通経路の接続部において接続された第１経路および第２経路と、
前記共通経路上における前記送りローラー対を基準とした前記接続部側と反対側に、被
記録媒体に対して記録する記録部と、を備え、
被記録媒体を送るモードである第１モードおよび第２モードが切り換え可能に設けられ
ており、
前記第１モードのとき、被記録媒体は、前記第１経路から前記共通経路に送られ、前記
記録部によって記録され、
前記第２モードのとき、被記録媒体は、前記送りローラー対によってニップされた状態
で、一度前記共通経路から前記第２経路に送られた後に、前記第２経路から前記共通経路
に送られ、前記記録部によって記録される構成であり、
前記接続部に設けられ、前記第２モードにおいて、前記共通経路から前記接続部へ送ら
れる被記録媒体を前記第２経路へ案内する案内手段を備える記録装置。
【請求項２】
請求項１に記載の記録装置において、前記従動ローラーを回動自在に保持するローラー
ホルダーをさらに備え、
前記案内手段は、前記ローラーホルダーを利用して構成されている記録装置。
【請求項３】
請求項２に記載の記録装置において、前記送りローラー対は、前記駆動ローラーと前記
従動ローラーとが接近した第１状態と、該第１状態より前記駆動ローラーと前記従動ロー
ラーとが離間した第２状態とを切り換え可能であり、該切り換えにより、前記ローラーホ
ルダーの姿勢が変化する構成であり、
前記第２状態のとき、前記案内手段が前記案内する構成である記録装置。
【請求項４】
請求項２または３に記載の記録装置において、前記案内手段における被記録媒体と接触
する箇所は、平坦な面である記録装置。
【発明の詳細な説明】
【技術分野】
【０００１】
本発明は、被記録媒体が送られる送り経路において、分岐した形状の経路を有する記録
装置に関する。  
本願において、記録装置には、インクジェットプリンター、ワイヤドットプリンター、
レーザープリンター、ラインプリンター、複写機、ファクシミリ等の種類が含まれるもの
とする。
【背景技術】
【０００２】
従来では、特許文献１および特許文献２に示す如く、記録装置は、媒体の種類に応じて
媒体が送られる経路が異なる構成だった。  
図８（Ａ）（Ｂ）に示すのは、従来技術の記録装置における媒体が送られる経路を示す
側面図である。  
図８（Ａ）に示す如く、記録装置６０は、上側経路６４と、下側経路６５と、送り経路
６１と、ローラー対６６とを備えていた。このうち、上側経路６４は、普通紙６７が送ら
れるように設けられていた。具体的には、図示しない載置部に載置された普通紙６７が図
示しない記録部へローラー対６６によって送られる際、上側経路６４から送り経路６１を
通って送られるように設けられていた。
【０００３】
また、下側経路６５は、普通紙６７より比較的剛性が高いボード紙やＣＤＲトレイが送
られるように設けられていた。具体的には、記録時の送り方向下流側にセットされたボー
ド紙やＣＤＲトレイが、送り経路６１から一度記録時の送り方向上流側である下側経路６
５へ送られ、その後、記録時の送り方向下流側の記録部へローラー対６６によって送られ
るように設けられていた。言い換えると、比較的剛性が高い媒体は、側視湾曲した上側経
路６４を使用せず、比較的真っ直ぐな経路によって送られるように構成されていた。  
ここで、比較的真っ直ぐな経路を使用して普通紙６７を送ることは可能なので、普通紙
６７を、ボード紙やＣＤＲトレイと同様にセットして記録を実行したいというニーズがあ
る。
【先行技術文献】
【特許文献】
【０００４】
【特許文献１】特開２００６−８８６５７号公報
【特許文献２】特開２００３−２１１７５７号公報
【発明の概要】
【発明が解決しようとする課題】
【０００５】
しかしながら、図８（Ｂ）に示す如く、普通紙６７をセットする際、図８（Ａ）の状態
から普通紙６７を記録時の送り方向上流側へ移動させる。ここで、普通紙６７はコシが弱
いため軽くカールすることがある。係る場合、送り経路６１における記録時の送り方向上
流側である上側経路６４と下側経路６５とが接続する接続部６２において、接続案内部６
３の先端より普通紙６７の進行方向先端が上方に位置することがある。そして、普通紙６
７がさらに上流側へ移動すると、普通紙６７の前記先端が上側経路６４に誤って進入する
虞がある。また、普通紙６７の前記先端が接続案内部６３の先端に衝突して普通紙６７の
先端が破損してしまう虞が生じる。さらに、普通紙６７が詰まってしまう虞が生じる。
【０００６】
本発明は、このような状況に鑑み成されたものであり、その課題は、分岐した形状を有
する送り経路において、被記録媒体の誤進入や衝突を考慮した記録装置を提供することで
ある。
【課題を解決するための手段】
【０００７】
上記課題を達成するため、本発明の第１の態様の記録装置は、被記録媒体が送られる共
通経路と、前記共通経路上に設けられ、駆動ローラーと従動ローラーとを有する送りロー
ラー対と、前記共通経路の接続部において接続された第１経路および第２経路と、前記共
通経路上における前記送りローラー対を基準とした前記接続部側と反対側に、被記録媒体
に対して記録する記録部と、を備え、被記録媒体を送るモードである第１モードおよび第
２モードが切り換え可能に設けられており、前記第１モードのとき、被記録媒体は、前記
第１経路から前記共通経路に送られ、前記記録部によって記録され、前記第２モードのと
き、被記録媒体は、前記送りローラー対によってニップされた状態で、一度前記共通経路
から前記第２経路に送られた後に、前記第２経路から前記共通経路に送られ、前記記録部
によって記録される構成であり、前記接続部に設けられ、前記第２モードにおいて、前記
共通経路から前記接続部へ送られる被記録媒体を前記第２経路へ案内する案内手段を備え
ていることを特徴とする。
【０００８】
本態様によれば、被記録媒体を前記共通経路から前記接続部側へ送る際、被記録媒体の
進行方向先端側を前記第２経路へ案内することができる。その結果、被記録媒体の前記先
端側が前記第１経路に誤って進入する虞がない。また、被記録媒体の進行方向先端が前記
接続部に衝突する虞がない。即ち、被記録媒体の前記先端が破損する虞がない。また、該
先端が前記接続部に引っ掛かって詰まる虞がない。前記第１モードおよび前記第２モード
を有する構成の場合に、特に有効である。
【０００９】
本発明の第２の態様は、第１の態様において、前記従動ローラーを回動自在に保持する
ローラーホルダーをさらに備え、前記案内手段は、前記ローラーホルダーを利用して構成
されていることを特徴とする。  
本態様によれば、第１の態様と同様の作用効果に加え、前記ローラーホルダーを利用す
ることにより、前記案内手段を容易に構成することができる。
【００１０】
本発明の第３の態様は、第２の態様において、前記送りローラー対は、前記駆動ローラ
ーと前記従動ローラーとが接近した第１状態と、該第１状態より前記駆動ローラーと前記
従動ローラーとが離間した第２状態とを切り換え可能であり、該切り換えにより、前記ロ
ーラーホルダーの姿勢が変化する構成であり、前記第２状態のとき、前記案内手段が前記
案内する構成であることを特徴とする。
【００１１】
本態様によれば、第２の態様と同様の作用効果に加え、必要なときに前記案内手段の前
記案内する機能を発揮することができる。  
例えば、前記第２状態に切り換えた状態で、ユーザーが、被記録媒体を前記共通経路か
ら前記接続部側へ送りながらセットする。この際、被記録媒体の進行方向先端側を、前記
第２経路へ案内することができる。言い換えると、被記録媒体の進行方向先端側が前記第
１経路に誤って進入することを防止することができる。また、被記録媒体の進行方向先端
が前記接続部に衝突することを防止することができる。
【００１２】
本発明の第４の態様は、第２または第３の態様において、前記案内手段における被記録
媒体と接触する箇所は、平坦な面であることを特徴とする。  
本態様によれば、第２または第３の態様と同様の作用効果に加え、前記接触する箇所は
平坦な面であるので、被記録媒体に対して強い力が作用した場合であっても被記録媒体を
傷つける虞がない。言い換えると、被記録媒体が送られる方向に対する幅方向において、
接触面積を広くすることにより、前記案内手段が被記録媒体を押圧する箇所が集中しない
ように分散させることができる。その結果、被記録媒体に傷や押圧痕が生じることを防止
することができる。
【図面の簡単な説明】
【００１３】
【図１】本実施例のプリンターの内部を示す概略側面図（第１送りモードのとき）。
【図２】本実施例のプリンターの内部を示す概略側面図（第２送りモードのとき）。
【図３】本実施例のプリンターの内部を示す概略側面図（第３送りモードのとき）。
【図４】（Ａ）（Ｂ）は本実施例の案内手段を示す側面図。
【図５】（Ａ）（Ｂ）は本実施例の案内手段が媒体を案内している様子を示す側面図。
【図６】（Ａ）（Ｂ）は記録時に用紙を送っている様子を示す側面図。
【図７】本実施例のローラーホルダーを下から見た斜視図。
【図８】従来技術における問題点を示す側面図。
【発明を実施するための形態】
【００１４】
以下、本発明の実施の形態を図面に基づいて説明する。  
図１に示すのは、「記録装置」或いは「液体噴射装置」の一例としてのインクジェット
プリンター（以下「プリンター」と言う）の内部を示す概略側面図である。  
ここで、液体噴射装置とは、液体噴射ヘッドとしての記録ヘッドから記録紙等の被記録
材へインクを噴射して被記録材への記録を実行するインクジェット式記録装置、複写機及
びファクシミリ等の記録装置に限らず、インクに代えて特定の用途に対応する液体を前述
した記録ヘッドに相当する液体噴射ヘッドから、被記録材に相当する被噴射材に噴射して
、液体を被噴射材に付着させる装置を含む意味で用いる。
【００１５】
またさらに、液体噴射ヘッドとしては、前述した記録ヘッド以外に、液晶ディスプレイ
等のカラーフィルター製造に用いられる色材噴射ヘッド、有機ＥＬディスプレイや面発光
ディスプレイ（ＦＥＤ）等の電極形成に用いられる電極材（導電ペースト）噴射ヘッド、
バイオチップ製造に用いられる生体有機物噴射ヘッド、精密ピペットとしての試料を噴射
する試料噴射ヘッド等が挙げられる。  
以下、媒体を送るモード毎に説明する。
【００１６】
［第１送りモードの場合］
図１に示すのは、第１送りモードにおいて、第１類の媒体の一例である普通紙を搬送し
記録するときにおけるプリンターの内部を示す概略側面図である。  
ここで、「第１類の媒体」とは、後述するように第１送り手段２６である給送ローラー
２７によって第１送り経路上（Ｒ１）を送ることができる媒体をいう。具体的には、可撓
性を有する媒体であって、後述する第２送り手段３５より小さい送り力を媒体に付与する
第１送り手段２６によって送られる媒体であり、第１載置部２２に積層された状態から一
枚ずつ送られる媒体をいう。また、「普通紙」とは、およそ重さ６０〜９０ｇ／平方ｍの
普通に用いられる用紙をいう。この範囲外であってもよいのは勿論である。
【００１７】
図１に示す如く、プリンター１は、筐体２と、媒体を送る媒体送り装置４２と、記録部
３０と、を備えている。また、媒体送り装置４２は、第１載置部２２と、第１送り手段２
６と、分離手段２８と、第２送り手段３５と、記録部３０と、第３送り手段３８と、第１
排出部６と、を備えている。このうち、第１載置部２２は、普通紙Ｐ１を載置することが
できるように設けられている。具体的には、第１載置部２２は、ホッパー２３と、第１エ
ッジガイド２４と、を有している。
【００１８】
そして、ホッパー２３は、載置された普通紙Ｐ１と一体となって、後述する給送ローラ
ー２７に対して接離移動することができるように設けられている。また、第１エッジガイ
ド２４は、ホッパー２３と一体に給送ローラー２７に対して接離移動し、普通紙Ｐ１の幅
方向両側において該幅方向Ｘにホッパー上を移動することができるように一対設けられて
いる。
【００１９】
従って、ホッパー上に載置された普通紙Ｐ１の両側側端をきれいに揃えることができる
。また、ホッパー上において、幅方向Ｘにおける普通紙Ｐ１の位置を精度良く決めること
ができる。  
また、第１送り手段２６は、ホッパー上の普通紙Ｐ１を送り方向下流側へ送ることがで
きるように設けられている。具体的には、第１送り手段２６は、図示しない第１モーター
によって駆動する給送ローラー２７を有している。
【００２０】
そして、ホッパー上の給送ローラー２７に対して最上位の普通紙Ｐ１と接触したときの
摩擦力により、最上位の普通紙Ｐ１を送り方向下流側へ送ることができるように設けられ
ている。  
尚、本実施例では、第１載置部２２であるホッパー２３が給送ローラー２７に対して接
離移動する構成としたが、これに限られるものではない。ホッパー２３と給送ローラー２
７とが相対的に接離移動する構成であればよい。言い換えると、給送ローラー２７がホッ
パー２３に対して接離移動する構成でもよいのは勿論である。
【００２１】
またさらに、分離手段２８は、第１送り手段２６によって送られる普通紙Ｐ１が複数枚
重なっている場合に余分な次位以降の普通紙Ｐ１を最上位の普通紙Ｐ１から分離すること
ができるように設けられている。具体的には、分離手段２８は、一例として公知技術であ
る所定の負荷を伴って回転するローラーである所謂、リタードローラー２９を有している
。  
尚、分離手段２８は、摩擦係数が高い素材で形成されたパッドでもよいのは勿論である
。
【００２２】
そして、最上位の普通紙Ｐ１の先端は、第１案内部４３より記録時の送り方向下流側（
Ｙ軸の矢印方向）に設けられた第２案内部４４によって第２送り手段３５へ案内されるよ
うに構成されている。  
ここで、第１案内部４３は、詳しくは後述する第２送りモードにおいて、普通紙Ｐ１、
専用紙Ｐ３、ボード紙、ＣＤ−Ｒトレイ等Ｐ２の媒体である場合に該媒体を案内するよう
に構成されている。
【００２３】
また、第２送り手段３５は、普通紙Ｐ１の場合は第１送り手段２６によって送られてき
た普通紙Ｐ１をさらに送り方向下流側の記録部３０へ送ることができるように構成されて
いる。  
尚、詳しくは後述する第２送りモードでは、普通紙Ｐ１、専用紙Ｐ３、ボード紙、ＣＤ
−Ｒトレイ等Ｐ２の媒体を記録時の送り方向上流側および下流側へ送ることができるよう
に構成されている。
【００２４】
具体的には、第２送り手段３５は、第１ローラー対３６を有している。第１ローラー対
３６は、第２モーター４１の動力によって駆動する第１駆動ローラー３６ａと、従動回転
する第１従動ローラー３６ｂとによって構成されている。  
さらに、第２送り手段３５は、詳しくは後述するが第１接離移動手段３７によって第１
駆動ローラー３６ａと第１従動ローラー３６ｂとが相対的に接離移動することができるよ
うに構成されている。即ち、接近した第１状態と、離間した第２状態とを切り換え可能に
構成されている。本実施例では、第１従動ローラー３６ｂが第１駆動ローラー３６ａに対
して接離移動することができるように設けられている。
【００２５】
尚、第１駆動ローラー３６ａが第１従動ローラー３６ｂに対して接離移動する構成でも
よいのは勿論である。本実施例において第１従動ローラー３６ｂが第１駆動ローラー３６
ａに対して接離移動する構成とした理由は、第１駆動ローラー３６ａへの動力伝達機構を
考慮すると駆動する側が移動可能な構成と比較して従動回転する側が移動可能な構成とす
る方が容易だからである。  
また、接離移動させる手段である第１接離移動手段３７としては、カム機構やギア機構
によって動力を伝達する機構を挙げることができる。
【００２６】
また、第１送り手段２６から第２送り手段３５へ普通紙Ｐ１が送られる際、送り方向に
対する普通紙Ｐ１の姿勢を正すための動作である所謂、スキュー取り動作を実行するよう
に構成されている。  
スキュー取り動作は、所謂、「食い付き吐き出し方式」でも「突き当て方式」でもよい
。  
ここで、「食い付き吐き出し方式」とは、第２送り手段３５である第１ローラー対３６
が普通紙Ｐ１の先端を一度挟持し、第１ローラー対３６を逆転させて普通紙Ｐ１の先端側
を送り方向上流側へ逆送りする。そして、第１送り手段２６である給送ローラー２７と第
２送り手段３５である第１ローラー対３６との間において、普通紙Ｐ１を撓ませて普通紙
Ｐ１の先端を第１ローラー対３６のニップラインに押し付けることにより、先端の姿勢を
ニップラインに倣わせる方式をいう。
【００２７】
即ち、第１ローラー対３６に普通紙Ｐ１の先端を一度食い付かせた後、送り方向上流側
へ普通紙Ｐ１の先端側を吐き出すことにより普通紙Ｐ１を撓ませて先端の姿勢をニップラ
インに倣わせる方式をいう。  
ここで、「ニップライン」とは、第１ローラー対３６の外接する箇所が成す線をいう。
即ち、第１ローラー対３６における挟圧する箇所が成す線である。
【００２８】
一方、「突き当て方式」とは、給送ローラー２７によって普通紙Ｐ１を送り方向下流側
へ送り普通紙Ｐ１の先端を、停止している状態または逆転駆動している状態の第１ローラ
ー対３６のニップラインに押し付けることにより、先端の姿勢をニップラインに倣わせる
方式をいう。即ち、第１ローラー対３６に普通紙Ｐ１の先端を突き当てることにより先端
の姿勢をニップラインに倣わせる方式をいう。尚、給送ローラー２７と第１ローラー対３
６との間において、普通紙Ｐ１を撓ませて先端の姿勢をニップラインに倣わせてもよいし
、撓ませずに先端の姿勢をニップラインに倣わせてもよい。
【００２９】
従って、普通紙Ｐ１の場合は、送り方向に対する普通紙Ｐ１の姿勢が傾いていたときで
あっても普通紙Ｐ１の姿勢を正してから記録部３０へ送ることができる。  
また、記録部３０は、送られてきた普通紙等の媒体（Ｐ１〜Ｐ３）に対して記録を実行
することができるように構成されている。具体的には、記録部３０は、記録ヘッド３１と
、媒体支持部３４と、を有している。
【００３０】
このうち、記録ヘッド３１は、ノズル列３２からインク滴を吐出することにより記録を
実行することができるように設けられている。また、媒体支持部３４は、記録ヘッド３１
と対向する位置に設けられている。そして、普通紙等の媒体（Ｐ１〜Ｐ３）を鉛直方向下
方から支持することにより、記録ヘッド３１と普通紙等の媒体（Ｐ１〜Ｐ３）との間を所
定の間隔を保つことができるように設けられている。
【００３１】
尚、記録部３０において、送られる媒体（Ｐ１〜Ｐ３）の材質、厚み等の種類に応じて
記録ヘッド３１と、媒体支持部３４との間のＺ軸方向における間隔を調整することができ
るように構成されているものとする。言い換えると、記録ヘッド３１と、媒体支持部３４
とが相対的に変位することができるように構成されているものとする。この変位は、手動
でも自動でもよい。  
ここで、Ｚ軸の方向は、記録ヘッド３１と媒体（Ｐ１〜Ｐ３）とが対向する方向である
。
【００３２】
記録ヘッド３１が媒体支持部３４に対して変位する構成でもよいし、逆に媒体支持部３
４が記録ヘッド３１に対して変位する構成でもよい。これは、送られる媒体（Ｐ１〜Ｐ３
）と記録ヘッド３１との接触を防止するためである。これにより、記録ヘッド３１が破損
すること、汚れること、媒体（Ｐ１〜Ｐ３）が破損することや汚れることを防止すること
ができる。
【００３３】
またさらに、第３送り手段３８は、記録部３０より記録時の送り方向下流側に設けられ
、記録された媒体（Ｐ１〜Ｐ３）を送り方向下流側へさらに送ることができるように設け
られている。具体的に、第３送り手段３８は、前述した第２送り手段３５と同様に第２ロ
ーラー対３９を有している。第２ローラー対３９は、第２モーター４１の動力によって駆
動する第２駆動ローラー３９ａと、従動回転する第２従動ローラー３９ｂとによって構成
されている。
【００３４】
さらに、第３送り手段３８は、第２接離移動手段４０によって第２駆動ローラー３９ａ
と第２従動ローラー３９ｂとが相対的に接離移動することができるように構成されている
。即ち、接近した状態と、離間した状態とを切り換え可能に構成されている。本実施例で
は、第２従動ローラー３９ｂが第２駆動ローラー３９ａに対して接離移動することができ
るように設けられている。
【００３５】
また、第１排出部６は、記録部３０において記録された普通紙Ｐ１が第３送り手段３８
によって送り方向下流側へ送られて排出される際、該普通紙Ｐ１を受け止めて積層するこ
とができるように設けられている。具体的に、第１排出部６は、第３送り手段３８より記
録時の送り方向下流側であって鉛直方向下方に設けられた第１トレイ７を有している。従
って、連続して排出された普通紙Ｐ１を積層することができる。
【００３６】
以上、説明したように、第１送りモードの場合、普通紙Ｐ１は、第１載置部２２から第
１排出部６までの経路である第１全体送り経路Ｒ１によって案内されるように構成されて
いる。  
尚、図１において、理解を容易にするために第２排出部９（図２、図３参照）の図示は
省略してある。第２排出部９である第２トレイ１０は、普通紙Ｐ１を第１トレイ上に排出
する妨げとならない位置に位置しているものとする。
【００３７】
［第２送りモードの場合］
次に、第２送りモードで普通紙（第１類の媒体）、第２類の媒体の一例であるボード紙
およびＣＤ−Ｒトレイ等の媒体を送る場合について説明する。  
ここで、「第２類の媒体」とは、後述するように第１送り手段２６によって第１全体送
り経路上（Ｒ１）を送ることができない媒体をいう。具体的には、可撓性を有さない剛性
の高い媒体や、可撓性を有していても弾力が強い媒体をいう。また、「ボード紙」とは、
パネル（ボード）がメディアと一体になったものをいう。
【００３８】
図２に示すのは、第２送りモードにおける普通紙、ボード紙、ＣＤ−Ｒトレイ等を搬送
し記録するときにおけるプリンターの内部を示す概略側面図である。  
図２に示す如く、可動案内部材２５が閉じた状態では、第２トレイ１０の上面、媒体支
持部３４の上面、第２案内部４４の上面および第１案内部４３の上面によって側視一直線
上となるように構成されている。
【００３９】
そして、第２トレイ１０の上面、媒体支持部３４の上面、第２案内部４４の上面および
第１案内部４３の上面によって普通紙Ｐ１、ボード紙、ＣＤ−Ｒトレイ等Ｐ２が送られる
送り経路である第２全体送り経路Ｒ２が構成される。即ち、第２全体送り経路Ｒ２は、側
視一直線上に構成されている。この理由は、媒体がボード紙、ＣＤ−Ｒトレイ等Ｐ２の場
合、媒体が剛体であるためまたは弾力が強いため側視湾曲した第１全体送り経路上（Ｒ１
）を送ることができない。そのために側視一直線上に構成された第２全体送り経路Ｒ２を
第１全体送り経路Ｒ１とは別に設ける必要があるからである。
【００４０】
尚、普通紙Ｐ１や、後述する第３類の媒体（Ｐ３）の場合も第２類の媒体（Ｐ２）と同
様に第２全体送り経路上（Ｒ２）を送ることができることは言うまでもない。
【００４１】
ここで、「第３類の媒体」とは、「第２類の媒体」と同様に第１送り手段２６によって
第１全体送り経路上（Ｒ１）を送ることができない媒体であって、可撓性の有しており「
第２類の媒体」と比較して弾力が弱い媒体をいう。第３類の媒体の一例として、「専用紙
」を挙げることができる。「専用紙」とは、普通紙Ｐ１とは異なり写真等の特定の目的に
使用するための用紙であって普通紙Ｐ１と比較して所謂、コシが強いものをいう。「コシ
」とは、弾力をいう。  
【００４２】
具体的には、媒体が普通紙Ｐ１、ボード紙、ＣＤ−Ｒトレイ等Ｐ２の場合、ユーザーは
、普通紙Ｐ１、ボード紙、ＣＤ−Ｒトレイ等Ｐ２をプリンター１の前方の第２載置部８で
ある第２トレイ１０に載置する。この際、操作部（図示せず）で媒体の種類を設定するこ
とにより、第１ローラー対３６は、第１接離移動手段３７によって前記離間した状態とな
る。同様に、第２ローラー対３９は、第２接離移動手段４０によって前記離間した状態と
なる。そして、ユーザーは、第２トレイ上において媒体の種類に応じて該媒体を所定の位
置に合わせる。  
ここで、「所定の位置」とは、媒体（Ｐ１〜Ｐ３）の一部が第１ローラー対３６の第１
駆動ローラー３６ａと第１従動ローラー３６ｂとの間に位置する位置をいう。
【００４３】
その後、ユーザーは操作部（図示せず）を操作することにより記録実行開始の信号が制
御部へ送られる。これにより、第１ローラー対３６は前記接近した状態に切り換えられる
。従って、媒体（Ｐ１〜Ｐ３）が第１ローラー対３６によって挟持された状態となる。  
ここで、第１ローラー対３６と記録ヘッド３１との間において、媒体（Ｐ１〜Ｐ３）の
有無を検出することができる第１センサー３３が設けられている。従って、プリンター１
は、媒体（Ｐ１〜Ｐ３）がセットされたと判断することができる。この判断に基づいて、
制御部が第１ローラー対３６を前記接近した状態に切り換える。仮に媒体（Ｐ１〜Ｐ３）
がセットされていないと判断した場合は、エラー表示をしてもよい。
【００４４】
尚、第２ローラー対３９は前記離間した状態のままである。これは、第１ローラー対３
６によって媒体（Ｐ１〜Ｐ３）を送る精度を出すように構成されているからである。第２
ローラー対３９を第１ローラー対３６と同様に前記接近した状態に切り換えてもよいのは
勿論である。係る場合、前記「所定の位置」は、媒体（Ｐ１〜Ｐ３）の一部が第２ローラ
ー対３９の第２駆動ローラー３９ａと第２従動ローラー３９ｂとの間に位置する位置であ
ればよい。
【００４５】
そして、第１ローラー対３６に挟持された媒体（Ｐ１〜Ｐ３）は、第１センサー３３が
媒体（Ｐ１〜Ｐ３）を検出しなくなるまで、記録時の送り方向上流側へ送られる。この際
、媒体（Ｐ１〜Ｐ３）は、第２トレイ１０、媒体支持部３４、第２案内部４４および第１
案内部４３によって案内されながら第２全体送り経路上（Ｒ２）における記録時の送り方
向上流側へ移動する。  
ここで、媒体（Ｐ１〜Ｐ３）の長さが長い場合、媒体（Ｐ１〜Ｐ３）における記録時の
送り方向上流側は、第１案内部４３に案内されながら、筐体２の外側へ突出することがで
きるように構成されている。即ち、プリンター１の後方へ突出することができるように構
成されている。
【００４６】
そして、プリンター１は、第１センサー３３が媒体（Ｐ１〜Ｐ３）を検出しなくなった
タイミングによって、媒体（Ｐ１〜Ｐ３）における記録時の送り方向下流端の位置を把握
することができる。即ち、記録時における媒体（Ｐ１〜Ｐ３）の先端の位置を把握するこ
とができる。これに基づいて第１ローラー対３６を駆動させることにより、記録時におけ
る媒体（Ｐ１〜Ｐ３）の先端の位置を記録開始時の基準位置に合わせることができる。所
謂、頭出しである。  
尚、このとき、媒体（Ｐ１〜Ｐ３）は第１ローラー対３６に挟持されたままの状態であ
る。
【００４７】
その後、媒体（Ｐ１〜Ｐ３）は第１ローラー対３６によって記録時の送り方向下流側へ
送られ、記録部３０によって記録されるように構成されている。記録が完了すると、第１
ローラー対３６によって媒体（Ｐ１〜Ｐ３）は記録時の送り方向下流側へさらに送られ、
第２トレイ１０に排出される。即ち、ユーザーが媒体（Ｐ１〜Ｐ３）をセットした位置と
略同じ位置に排出される。
【００４８】
尚、操作部（図示せず）で媒体（Ｐ１〜Ｐ３）の種類を設定することにより、第２トレ
イ１０が第３送り手段３８より記録時の送り方向下流側であって鉛直方向Ｚにおいて同じ
高さとなる位置へ移動するように構成してもよい。第２トレイ１０の移動は、図示しない
モーターの動力によって移動する構成でもよいし、手動で位置を切り換える構成でもよい
。  
また、第１送りモードの場合の普通紙Ｐ１の排出を妨げない場合であって、第２トレイ
１０の上面が媒体支持部３４の上面と鉛直方向Ｚにおいて同じ高さであれば、第１送りモ
ードの場合と同じ位置であってもよい。係る場合、カバー部材５を前方に開く動作と連動
して第２トレイ１０の位置が図２に示す位置まで移動する構成としてもよい。
【００４９】
また、制御部は、図示しない第２センサーを用いて可動案内部材２５が図２に示す閉じ
た状態か否かを判定するように構成されているものとする。普通紙Ｐ１、ボード紙、ＣＤ
−Ｒトレイ等Ｐ２が送られる送り経路である第２全体送り経路Ｒ２が、プリンター１の後
方において開放された状態か否かを判断するためである。  
そして、開いている場合はユーザーに対して注意をして閉じた状態とするように促すよ
うに構成されている。例えば、操作部（図示せず）に設けた液晶パネル等の表示部にその
旨を表示したり、警告音を発したりすることにより促すことができる。
【００５０】
［第３送りモードの場合］
続いて、第３送りモードで普通紙（第１類の媒体）、専用紙（第３類の媒体）の媒体を
送る場合について説明する。  
図３に示すのは、第３送りモードにおける普通紙、専用紙を搬送し記録するときにおけ
るプリンターの内部を示す概略側面図である。  
図３に示す如く、可動案内部材２５が開いた状態では、第２トレイ１０の上面、媒体支
持部３４の上面、第２案内部４４の上面および第１案内部４３の上面により第１直線区間
Ｓ１が構成される。さらに、第１案内部４３の上面における記録時の送り方向上流側およ
び可動案内部材２５の揺動支点側によって側視湾曲した区間Ｓ２が構成される。またさら
に、可動案内部材２５の自由端側によって第２直線区間Ｓ３が構成される。
【００５１】
そして、第１直線区間Ｓ１、側視湾曲した区間Ｓ２および第２直線区間Ｓ３によって普
通紙Ｐ１、専用紙Ｐ３が送られる送り経路である第３全体送り経路Ｒ３が構成される。即
ち、第３全体送り経路Ｒ３は、プリンター１の後方において側視湾曲した区間Ｓ２を有す
るように構成されている。この理由は、可撓性のある媒体である普通紙Ｐ１、専用紙Ｐ３
が、ボード紙、ＣＤ−Ｒトレイ等Ｐ２と同様に第２載置部８に載置され、記録実行前の段
階において記録時の送り方向上流側へ送られた際、普通紙Ｐ１、専用紙Ｐ３における記録
時の送り方向上流側を曲げるためである。
【００５２】
これにより、プリンター１の後方へ媒体（Ｐ１、Ｐ３）が突出する距離を、第２全体送
り経路Ｒ２を用いた場合と比較して短くすることができる。従って、プリンター１の後方
近傍に部屋の壁等の障害物があった場合であっても、記録実行前の段階においてプリンタ
ー１の後方へ突出した媒体（Ｐ１、Ｐ３）が障害物と接触する虞を殆ど無にすることがで
きる。その結果、普通紙Ｐ１および専用紙Ｐ３の場合、第２全体送り経路Ｒ２ではなく第
３全体送り経路Ｒ３を使用することにより、プリンター１の後方において第２全体送り経
路Ｒ２の使用時に必要であった十分に広い空間を確保する必要がない。
【００５３】
即ち、第３送りモードの場合、プリンター１の後方に十分な広い空間を確保するために
プリンター１を前方へ移動させるユーザーの手間を無くすことができる。  
尚、専用紙Ｐ３は普通紙Ｐ１と比較して弾力が強く、送り経路との間で生じる摩擦抵抗
等が大きい。そのため、給送ローラー２７では十分な送り力を専用紙Ｐ３に対して付与す
ることが困難であり、第１全体送り経路Ｒ１で普通紙Ｐ１と同様には送ることができない
。
【００５４】
このような理由により、専用紙Ｐ３は、ボード紙、ＣＤ−Ｒトレイ等Ｐ２と同様に第２
載置部８に載置され、第１ローラー対３６に挟持されて記録時の送り方向上流側および下
流側へ送られるように構成されている。尚、普通紙Ｐ１も第３全体送り経路Ｒ３で専用紙
Ｐ３と同様に送ることができることは言うまでもない。  
ここで、第１ローラー対３６は、媒体（Ｐ１、Ｐ３）をしっかりと挟持する構成である
ことにより、給送ローラー２７と比較して、媒体（Ｐ１、Ｐ３）に対して大きい送り力を
付与することができるものとする。
【００５５】
そして、専用紙Ｐ３は、第１全体送り経路Ｒ１で普通紙Ｐ１と同様には送ることはでき
ないが、ボード紙、ＣＤ−Ｒトレイ等Ｐ２と比べて、可撓性を有しており、弾力が弱い媒
体であるものとする。  
その後、前述したボード紙、ＣＤ−Ｒトレイ等Ｐ２の場合と同様に、第１ローラー対３
６に挟持された媒体（Ｐ１、Ｐ３）は、第１センサー３３が媒体（Ｐ１、Ｐ３）を検出し
なくなるまで、記録時の送り方向上流側へ送られる。この際、媒体（Ｐ１、Ｐ３）は、第
２トレイ１０、媒体支持部３４、第２案内部４４、第１案内部４３および可動案内部材２
５によって案内されながら第３全体送り経路上（Ｒ３）における記録時の送り方向上流側
へ移動する。
【００５６】
そして、プリンター１は、第１センサー３３が媒体（Ｐ１、Ｐ３）を検出しなくなった
タイミングによって、媒体（Ｐ１、Ｐ３）における記録時の送り方向下流端の位置を把握
することができる。即ち、記録時における媒体（Ｐ１、Ｐ３）の先端の位置を把握するこ
とができる。これに基づいて第１ローラー対３６を駆動させることにより、記録時におけ
る媒体（Ｐ１、Ｐ３）の先端の位置を記録開始時の基準位置に合わせることができる。所
謂、頭出しである。  
尚、このとき、媒体（Ｐ１、Ｐ３）は第１ローラー対３６に挟持されたままの状態であ
る。
【００５７】
その後、媒体（Ｐ１、Ｐ３）は第１ローラー対３６によって記録時の送り方向下流側へ
送られ、記録部３０によって記録されるように構成されている。そして、記録が完了する
と、第１ローラー対３６によって媒体（Ｐ１、Ｐ３）は記録時の送り方向下流側へさらに
送られ、第２トレイ１０に排出される。即ち、ユーザーが媒体（Ｐ１、Ｐ３）をセットし
た位置と略同じ位置に排出される。
【００５８】
続いて、本実施例の案内手段について説明する。  
図４（Ａ）（Ｂ）に示すのは、本実施例の案内手段を示す側面図である。このうち、図
４（Ａ）は第１従動ローラーが第１駆動ローラーに接近した第１状態である。一方、図４
（Ｂ）は第１従動ローラーが第１駆動ローラーから離間した第２状態である。  
図４（Ａ）（Ｂ）に示す如く、第１接離移動手段３７として、ローラーホルダー１５と
、カム１９とが設けられている。
【００５９】
第１従動ローラー３６ｂはローラーホルダー１５によって回動自在に保持されている。
また、ローラーホルダー１５は、第１支点３を中心に揺動可能に設けられており、図示し
ないばねによって図中における時計方向へ付勢されている。またさらに、カム１９が第２
支点２０を中心に回動可能に設けられて、カム１９がローラーホルダー１５に設けられた
カムフォロア４と接触し、押圧することにより、前記第１状態と前記第２状態とを切り換
えることができる。
【００６０】
ここで、第１送りモード〜第３送りモードで共通して媒体（Ｐ１〜Ｐ３）が送られる経
路である第２案内部上の経路を共通経路Ｋとする。そして、第１送りモードで普通紙Ｐ１
がホッパー２３から送られる経路であって、第２案内部上の経路より記録時の送り方向上
流側の経路を第１経路Ｋ１とする。また、第２送りモードおよび第３送りモードで媒体（
Ｐ１〜Ｐ３）が送られる経路であって、第２案内部上の経路より記録時の送り方向上流側
の経路を第２経路Ｋ２とする。そして、共通経路Ｋから記録時の送り方向上流側へ向かっ
て第１経路Ｋ１と第２経路Ｋ２とに分岐するように接続された箇所を接続部１１とする。
【００６１】
本実施例において、接続部１１には、共通経路Ｋから送られた媒体（Ｐ１）を第２経路
Ｋ２へ案内する案内手段１４が設けられている。案内手段１４は、一例として、ローラー
ホルダー１５における経路に面する箇所に設けられた突部１６である。ここで、第１経路
Ｋ１および第２経路Ｋ２は、第３案内部１２によって分岐する形状に構成されている。  
そして、図４（Ｂ）に示す如く、前記第２状態では、突部１６の頂部１８は、第３案内
部１２における接続部側の先端１３の位置より、下がった位置となるように構成されてい
る。言い換えると、頂部１８の位置は、第３案内部１２の前記先端１３の位置より、第２
経路Ｋ２の第１案内部側となるように構成されている。
【００６２】
図５（Ａ）（Ｂ）に示すのは、本実施例の案内手段が普通紙を案内している様子を示す
側面図である。このうち、図５（Ａ）は第２送りモードおよび第３送りモードにおいて普
通紙がセットされ、普通紙の記録時の上流端が第１ローラー対の間を通過して上流側へ送
られたときの様子を示す図である。一方、図５（Ｂ）は図５（Ａ）よりさらに上流側へ送
られたときの様子を示す図である。
【００６３】
図５（Ａ）（Ｂ）に示す如く、前述したように第２送りモードおよび第３送りモードで
も普通紙Ｐ１を送ることができる。係る場合、普通紙Ｐ１を記録時の送り方向下流側から
セットする。この際、第１ローラー対３６は、互いに離間した前記第２状態である。そし
て、案内手段１４としての突部１６は、接続部１１における第３案内部１２の先端１３よ
り記録時の送り方向下流側において、普通紙Ｐ１の記録時の上流端側と接触する。
【００６４】
さらに、突部１６は、普通紙Ｐ１の記録時の上流端側を押し下げるように接触し、普通
紙Ｐ１の記録時の上流端を第２経路Ｋ２へ案内する。  
その結果、普通紙Ｐ１の記録時の上流端が第１経路Ｋ１に誤って進入する虞がない。ま
た、普通紙Ｐ１の記録時の上流端が第３案内部１２の先端１３に衝突して破損する虞がな
い。  
尚、普通紙Ｐ１の位置を所定の位置に合わせてセットした後は、前述したように第１ロ
ーラー対３６は、互いに接近した前記第１状態に切り換えられる。そして、普通紙Ｐ１は
、一度記録時の送り方向上流側へ送られた後、下流側へ送られながら記録される。  
また、セットしたとき、普通紙Ｐ１の記録時の送り方向上流端の位置は、接続部１１よ
り上流側、下流側のどちらでもよいのは言うまでもない。
【００６５】
図６（Ａ）（Ｂ）に示すのは、記録時に普通紙を送っている様子を示す側面図である。
このうち、図６（Ａ）は第１送りモードにおいて普通紙を記録時の送り方向下流側へ送っ
ている様子である。一方、図６（Ｂ）は第２送りモードおよび第３送りモードにおいて普
通紙を記録時の送り方向下流側へ送っている様子である。  
図６（Ａ）に示す如く、第１送りモードにおいて普通紙Ｐ１を記録時の送り方向下流側
へ送って記録するとき、第１ローラー対３６は前記第１状態である。そして、案内手段１
４の突部１６の頂部１８の位置は、第３案内部１２の先端１３より上方である。従って、
案内手段１４の突部１６は、普通紙Ｐ１と接触しないので、普通紙Ｐ１を送ることに対し
て影響を与えない。仮に接触したとしても殆ど普通紙Ｐ１を送ることに対して影響を与え
ない。即ち、普通紙Ｐ１を送るとき、案内手段１４が負荷を発生させる虞が殆どない。
【００６６】
図６（Ｂ）に示す如く、第２送りモードおよび第３送りモードにおいて普通紙Ｐ１を記
録時の送り方向下流側へ送って記録するとき、第１送りモードと同様、第１ローラー対３
６は前記第１状態である。従って、案内手段１４の突部１６は、普通紙Ｐ１と接触しない
ので、普通紙Ｐ１を送ることに対して影響を与えない。  
即ち、案内手段１４は、前述したように、第２送りモードおよび第３送りモードにおい
て、普通紙Ｐ１をセットする際のみに、普通紙Ｐ１の記録時の上流端に対して作用する。
【００６７】
尚、本実施例では、ローラーホルダー１５を利用して案内手段１４を構成したが、これ
に限られない。ローラーホルダー１５とは別体に設けてもよいのは勿論である。本実施例
において、ローラーホルダー１５を利用して案内手段１４を構成したのは、第１ローラー
対３６の前記第１状態と前記第２状態との切り換えによって、案内手段１４が作用する状
態と、作用しない状態とを切り換えることができるからである。
【００６８】
図７に示すのは、本実施例のローラーホルダーを下から見た斜視図である。尚、第１従
動ローラーの図示は省略する。  
図７に示す如く、ローラーホルダー１５に設けられた案内手段１４としての突部１６は
、媒体が送られる方向に対する幅方向Ｘにおいて、平坦な面となるように形成されている
。即ち、突部１６における普通紙Ｐ１と接触する箇所１７は、前記平坦な面である。  
ここで、仮に突部における媒体と接触する箇所をリブ状に形成したとすると、普通紙Ｐ
１に対して押さえ付けるように作用する際、接触面積が小さくなるため、接触した箇所に
押圧力が集中し、普通紙Ｐ１にリブの圧痕が生じる虞がある。
【００６９】
そこで、本実施例では、突部１６における普通紙Ｐ１と接触する箇所１７は、前記平坦
な面とする。これにより、普通紙Ｐ１に前記リブの圧痕が生じることを防止することがで
きる。  
尚、ローラーホルダー１５の下側面２１における突部以外の箇所には、リブ２１ａ、２
１ａ…が形成されているが、普通紙Ｐ１に対して強い押圧力が作用しないので、普通紙Ｐ
１に圧痕が生じることはない。接触面積を少なくすることにより、滑らかに媒体を送り方
向Ｙに案内することができる。  
また、案内手段１４が前記案内することに関しては、突部１６における前記接触する箇
所１７が平坦な面である構成に限らない。また、案内手段１４の形状は、案内することが
できればよく突部に限らない。
【００７０】
本実施例の記録装置であるプリンター１は、被記録媒体の一例である普通紙Ｐ１が送ら
れる共通経路Ｋと、共通経路上に設けられ、駆動ローラーである第１駆動ローラー３６ａ
と従動ローラーである第１従動ローラー３６ｂとを有する第１ローラー対３６である第１
ローラー対３６と、共通経路Ｋの接続部１１において接続された第１経路Ｋ１および第２
経路Ｋ２と、共通経路上における第１ローラー対３６を基準とした接続部側と反対側に、
普通紙Ｐ１に対して記録する記録部３０と、を備え、普通紙Ｐ１を送るモードである第１
モードとしての第１送りモードおよび第２モードとしての第２送りモード（第３送りモー
ド）が切り換え可能に設けられており、第１送りモードのとき、普通紙Ｐ１は、第１経路
Ｋ１から共通経路Ｋに送られ、記録部３０によって記録され、第２送りモード（第３送り
モード）のとき、普通紙Ｐ１は、第１ローラー対３６によってニップされた状態で、一度
共通経路Ｋから第２経路Ｋ２に送られた後に、第２経路Ｋ２から共通経路Ｋに送られ、記
録部３０によって記録される構成であり、接続部１１に設けられ、第２送りモード（第３
送りモード）において、共通経路Ｋから接続部１１へ送られる普通紙Ｐ１を第２経路Ｋ２
へ案内する案内手段１４を備えていることを特徴とする。
【００７１】
また、本実施例において、第１従動ローラー３６ｂを回動自在に保持するローラーホル
ダー１５をさらに備え、案内手段１４は、ローラーホルダー１５を利用して構成されてい
ることを特徴とする。具体的には、ローラーホルダー１５に形成した突部１６である。  
またさらに、本実施例において、第１ローラー対３６は、第１駆動ローラー３６ａと第
１従動ローラー３６ｂとが接近した第１状態と、該第１状態より第１駆動ローラー３６ａ
と第１従動ローラー３６ｂとが離間した第２状態とを切り換え可能であり、該切り換えに
より、ローラーホルダー１５の姿勢が変化する構成であり、前記第２状態のとき、案内手
段１４が前記案内する構成であることを特徴とする。
【００７２】
また、本実施例において、案内手段１４における普通紙Ｐ１と接触する箇所１７は、平
坦な面であることを特徴とする。  
尚、本発明は上記実施例に限定されることなく、特許請求の範囲に記載した発明の範囲
内で、種々の変形が可能であり、それらも本発明の範囲内に含まれるものであることは言
うまでもない。
【符号の説明】
【００７３】
１  プリンター、２  筐体、３  第１支点、４  カムフォロア、５  カバー部材、
６  第１排出部、７  第１トレイ、８  第２載置部、９  第２排出部、
１０  第２トレイ、１１  接続部、１２  第３案内部、１３  先端、１４  案内手段、
１５  ローラーホルダー、１６  突部、１７  接触する箇所、１８  頂部、１９  カム、
２０  第２支点、２１  下側面、２１ａ  リブ、２２  第１載置部、２３  ホッパー、
２４  第１エッジガイド、２５  可動案内部材、２６  第１送り手段、
２７  給送ローラー、２８  分離手段、２９  リタードローラー、３０  記録部、
３１  記録ヘッド、３２  ノズル列、３３  第１センサー、３４  媒体支持部、
３５  第２送り手段、３６  第１ローラー対、３６ａ  第１駆動ローラー、
３６ｂ  第１従動ローラー、３７  第１接離移動手段、３８  第３送り手段、
３９  第２ローラー対、３９ａ  第２駆動ローラー、３９ｂ  第２従動ローラー、
４０  第２接離移動手段、４１  第２モーター、４２  媒体送り装置、
４３  第１案内部、４４  第２案内部、６０  （従来技術の）記録装置、
６１  送り経路、６２  接続部、６３  接続案内部、６４  上側経路、６５  下側経路、
６６  ローラー対、６７  普通紙、Ｋ  共通経路、Ｋ１  第１経路、Ｋ２  第２経路、
Ｐ１  普通紙（第１類の媒体）、
Ｐ２  ボード紙またはＣＤ−Ｒトレイ（第２類の媒体）、
Ｐ３  専用紙（第３類の媒体）、Ｒ１  第１送りモードの経路（第１全体送り経路）、
Ｒ２  第２送りモードの経路（第２全体送り経路）、
Ｒ３  第３送りモードの経路（第３全体送り経路）、Ｓ１  第１直線区間、
Ｓ２  側視湾曲した区間、Ｓ３  第２直線区間、Ｘ  幅方向、Ｙ  記録時の送り方向、
Ｚ  記録ヘッドと媒体とが対向する方向（鉛直方向）
【図１】
2012091393.tif 000003
【図２】
2012091393.tif 000004
【図３】
2012091393.tif 000005
【図４】
2012091393.tif 000006
【図５】
2012091393.tif 000007
【図６】
2012091393.tif 000008
【図７】
2012091393.tif 000009
【図８】
2012091393.tif 000010